(57)【要約】      （修正有）【課題】電気的接触の信頼性を向上し、短絡の発生を防止する金属箔シールド補強板付き可撓性フラットケーブルを提供する。【解決手段】フラットケーブルは、導体１２と、電気めっき層１４と、第１絶縁層１６と、第２絶縁層１８と、補強部材２０とを備える。導体は、第１表面１２２と、第２表面１２４とを有する。電気めっき層は、第２表面に設置され、電気めっき層は、導体の自由端１２６に設置される。第１絶縁層は第１表面に設置され、第２絶縁層は第２表面に設置される。補強部材は、金属層２０２と非金属層２０４とを有する。補強部材は第１絶縁層の一側に設置され、かつ導体の自由端に近接して配置される。金属層は非金属層の一側に積層され、非金属層の他側は第１絶縁層に設置される。自由端に近接配置される非金属層の末端は、自由端に近接配置される金属層の末端よりも自由端に近接して配置される。【選択図】図１
0003230937.tif 000002
【実用新案登録請求の範囲】
【請求項１】
第１表面と第２表面とを有する導体と、前記第２表面に設置される電気めっき層と、前記第１表面に設置される第１絶縁層と、前記第２表面に設置される第２絶縁層と、金属層と非金属層とを有する補強部材とを備える金属箔シールド補強板付き可撓性フラットケーブルであって、
前記電気めっき層は、前記導体の自由端に設置され、
前記補強部材は、前記第１絶縁層の一側に設置され、かつ前記導体の前記自由端に近接して配置され、前記金属層は、前記非金属層の一側に積層され、前記非金属層の他側は、前記第１絶縁層に設置され、前記自由端に近接して配置される前記非金属層の末端は、前記自由端に近接して配置される前記金属層の末端よりも近接して前記自由端に配置されることを特徴とする、金属箔シールド補強板付き可撓性フラットケーブル。
【請求項２】
前記空間の断面形状は、三角形であることを特徴とする、請求項１に記載の金属箔シールド補強板付き可撓性フラットケーブル。
【請求項３】
前記空間が前記三角形である場合、その高さの範囲は、０．０１ミリメートルから０．１ミリメートルの間にあり、幅の範囲は、０．１ミリメートルから０．５ミリメートルの間にあることを特徴とする、請求項２に記載の金属箔シールド補強板付き可撓性フラットケーブル。
【請求項４】
前記三角形の高さは０．０５ミリメートルであり、幅は０．３ミリメートルであることを特徴とする、請求項３に記載の金属箔シールド補強板付き可撓性フラットケーブル。
【請求項５】
前記第１表面に設置され、前記補強部材と前記第１絶縁層とを接合する接着層をさらに備えることを特徴とする、請求項１に記載の金属箔シールド補強板付き可撓性フラットケーブル。
【考案の詳細な説明】
【技術分野】
【０００１】
本考案は、可撓性フラットケーブルの技術分野に関し、特に、金属箔シールド補強板付き可撓性フラットケーブルに関するものである。
【背景技術】
【０００２】
伝統的な可撓性フラットケーブルでは、その自由端（すなわち、フラットケーブルの末端）を強化するために、可撓性フラットケーブルの両末端に可撓性フラットケーブルの両端の硬度を増加させるように、一定長さの、かつ相対硬度が比較的硬い補強部材を設けている。実際に使用する際において、可撓性フラットケーブルには、索線に要する長さに応じて、打抜きや切断の製造工程が施され、比較的に長い可撓性フラットケーブルを単一の区分・ピースにカットした可撓性フラットケーブルにする。しかしながら、可撓性フラットケーブルが打抜きや切断される過程において、補強部材のカットに際して、補強部材の材質として導電材質を含んでいると、補強部材をカットする過程で金属屑片や金属屑糸が生じるため、可撓性フラットケーブルに短絡現象を発生させてしまう可能性がある。
【考案の概要】
【考案が解決しようとする課題】
【０００３】
これに鑑み、本考案は、伝統的なコネクタにより生じる不具合を解決するために、金属箔シールド補強板付き可撓性フラットケーブルを提案する。
【０００４】
本考案の第１目的は、可撓性フラットケーブルでの短絡現象の発生を回避することができる、金属箔シールド補強板付き可撓性フラットケーブルを提供することにある。
【０００５】
本考案の第２目的は、前述の金属箔シールド補強板付き可撓性フラットケーブルにおいて、非対称長さの金属層と非金属層とで組み合わせて構成される補強部材により、容易にコネクタに差し込んだり、コネクタから離脱したりすることができ、電気的な接触の信頼性を増す効果と短絡の発生を回避する効果を奏するものを提供することにある。
【０００６】
本考案の第３目的は、前述の金属箔シールド補強板付き可撓性フラットケーブルにおいて、金属層の末端と非金属層の末端とで形成される空間により、可撓性フラットケーブルでの短絡現象の発生を回避することができるものを提供することにある。
【課題を解決するための手段】
【０００７】
上記の第１目的及びその他の目的を達成するために、本考案は、金属箔シールド補強板付き可撓性フラットケーブルを提供する。可撓性フラットケーブルは、導体と、電気めっき層と、第１絶縁層と、第２絶縁層と、補強部材とを備える。導体は、第１表面と、第２表面とを有する。電気めっき層は、第２表面に設置され、電気めっき層は、導体の自由端に設置される。第１絶縁層は、第１表面に設置される。第２絶縁層は、第２表面に設置される。補強部材は、金属層と、非金属層とを有する。補強部材は、第１絶縁層の一側に設置され、及び導体の自由端に近接して配置される。金属層は、非金属層の一側に積層され、非金属層の他側は、第１絶縁層に設置される。自由端に近接して配置される非金属層の末端は、自由端に、自由端に近接して配置される金属層の末端よりも近接して配置される。
【考案の効果】
【０００８】
従来の技術に比べて、本考案は、打抜きまたは切断製造工程に起因して可撓性フラットケーブルから生じる金属屑糸や金属屑片により、可撓性フラットケーブル内の多数本の導線の間にもたらす短絡現象の発生を解決することができる、金属箔シールド補強板付き可撓性フラットケーブルを提供する。
【図面の簡単な説明】
【０００９】
【図１】本考案の一実施形態の金属箔シールド補強板付き可撓性フラットケーブルの構造側面図である。
【考案を実施するための形態】
【００１０】
本考案の目的、特徴及び効果を十分に理解してもらうため、ここで、添付の図面を参照しながら、下記の具体的な実施形態により、本考案を詳細に説明する。
【００１１】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１２】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１３】
本考案の一実施形態の金属箔シールド補強板付き可撓性フラットケーブルの構造側面図である図１を参照する。図１において、金属箔シールド補強板付き可撓性フラットケーブル１０は、導体１２と、電気めっき層１４と、第１絶縁層１６と、第２絶縁層１８と、補強部材２０とを備える。
【００１４】
導体１２は、第１表面１２２と、第２表面１２４とを有する。図１において、第１表面１２２とは、導体１２の上方表面を指し、第２表面１２４とは、導体１２の下方表面を指す。そのうえ、図１において、導体１２の左側末端を自由端１２６として定義する。その内、導体１２の材質は、純銅などの金属であってもよい。導体１２の作用は、情報や電力などの電気信号を伝達することであり、それ自身は、外部の電磁干渉に抗する作用を有する。また、導体１２は、１本または複数本の導線を指し、ここでは１本の導線を例とする。
【００１５】
電気めっき層１４は、第２表面１２４に設置され、電気めっき層１４は、導体１２の自由端１２６に近接して設置される。さらなる実施形態において、電気めっき層１４を、例えば、ニッケル（ｎｉｃｋｅｌ）や金（ｇｏｌｄ）などのような、例えば、導電性や使用寿命を高めるために用いる化学元素でめっき被覆してもよい。
【００１６】
第１絶縁層１６は、第１表面１２２の上方に設置される。第１絶縁層１６は、１個または多数個の導体１２の間の電気信号あるいは外部の電気信号（例えば、静電など）による干渉を隔離することができる。
【００１７】
第２絶縁層１８は、第２表面１２４の下方に設置され、その特性は、第１絶縁層１６の特性と同じであり、第１絶縁層１６と第２絶縁層１８の包囲により、導体１２が電気的特性の干渉を受けないようにより一層確保することができる。
【００１８】
補強部材２０は、金属層２０２と、非金属層２０４とを有する。ここで、補強部材２０は、第１絶縁層１６の上方に設置され、及び導体１２の自由端１２６に近接して配置される。なお、金属層２０２は、非金属層２０４の上方に積層され、非金属層２０４は、第１絶縁層１６の上方に設置される。金属層２０２は、アルミニウム、銅、銀、スズ及び金のうちの少なくとも１つの金属により形成される金属箔であり、非金属層２０４の材質は、ポリエチレンテレフタレート（ＰＥＴ）などの非金属であってもよい。
【００１９】
ここで、自由端１２６に近接して配置される非金属層２０４の末端は、自由端１２６に、自由端１２６に近接して配置される金属層２０２の末端よりも近接して配置される。前述の非金属層２０４と金属層２０２の設置構造によれば、金属層２０２の末端と非金属層２０４の末端との間に空間ＳＰが形成される。本実施形態において、空間ＳＰの断面形状が三角形である状態を例として説明するが、その他の実施形態において、空間ＳＰの断面形状は、任意な形状であってもよい。ここで、三角形の空間ＳＰの寸法については、その高さｈの範囲は、０．０１ミリメートルから０．１ミリメートルの間にあり、高さｈは０．０５ミリメートルであることが好ましく、幅ｗの範囲は、０．１ミリメートルから０．５ミリメートルの間にあり、幅ｗは０．３ミリメートルであることが好ましい。
【００２０】
注意に値することは、金属層２０２の末端を導体１２の自由端１２６に合わせて揃える状態が例として説明されている点である。その他の実施形態において、金属層２０２の末端は、導体１２の自由端１２６に合わせて揃えられていなくてもよい。
【００２１】
なお、金属箔シールド補強板付き可撓性フラットケーブル１０は、第１表面１２２に設置されて補強部材２０と第１絶縁層１６とを接合する接着層（未図示）をさらに備えてもよい。
【符号の説明】
【００２２】
１０…金属箔シールド補強板付き可撓性フラットケーブル
１２…導体
１２２…第１表面
１２４…第２表面
１２６…自由端
１４…電気めっき層
１６…第１絶縁層
１８…第２絶縁層
２０…補強部材
２０２…金属層
２０４…非金属層
ＳＰ…空間
ｈ…高さ
ｗ…幅
【図１】
0003230937.tif 000003
【手続補正書】
【提出日】令和2年12月28日(2020.12.28)
【手続補正１】
【補正対象書類名】実用新案登録請求の範囲
【補正対象項目名】全文
【補正方法】変更
【補正の内容】
【実用新案登録請求の範囲】
【請求項１】
第１表面と第２表面とを有する導体と、前記第２表面に設置される電気めっき層と、前記第１表面に設置される第１絶縁層と、前記第２表面に設置される第２絶縁層と、金属層と非金属層とを有する補強部材とを備える金属箔シールド補強板付き可撓性フラットケーブルであって、
前記電気めっき層は、前記導体の自由端に設置され、
前記補強部材は、前記第１絶縁層の一側に設置され、かつ前記導体の前記自由端に近接して配置され、前記金属層は、前記非金属層の一側に積層され、前記非金属層の他側は、前記第１絶縁層に設置され、前記自由端に近接して配置される前記非金属層の末端は、前記自由端に近接して配置される前記金属層の末端よりも近接して前記自由端に配置され、前記金属層の末端と前記非金属層の末端との間に空間が形成されることを特徴とする、金属箔シールド補強板付き可撓性フラットケーブル。
【請求項２】
前記空間の断面形状は、三角形であることを特徴とする、請求項１に記載の金属箔シールド補強板付き可撓性フラットケーブル。
【請求項３】
前記空間が前記三角形である場合、その高さの範囲は、０．０１ミリメートルから０．１ミリメートルの間にあり、幅の範囲は、０．１ミリメートルから０．５ミリメートルの間にあることを特徴とする、請求項２に記載の金属箔シールド補強板付き可撓性フラットケーブル。
【請求項４】
前記三角形の高さは０．０５ミリメートルであり、幅は０．３ミリメートルであることを特徴とする、請求項３に記載の金属箔シールド補強板付き可撓性フラットケーブル。
【請求項５】
前記第１表面に設置され、前記補強部材と前記第１絶縁層とを接合する接着層をさらに備えることを特徴とする、請求項１に記載の金属箔シールド補強板付き可撓性フラットケーブル。